(57)【要約】　　　（修正有）【課題】　洗濯物の出し入れが容易で高い使い勝手を有するとともに、外箱内の空間を有効に活用することによって外箱のサイズを抑えつつ外槽を大きく確保する。【解決手段】　ブロア４５及びブロアモータ４６を外槽２０の胴部の後方に、その軸線Ｂが水平軸線Ｃと略垂直で且つ水平になるように配置しているため、外槽２０の胴部と外箱との隙間の空間も有効に利用することができる。このように外槽２０と外箱との間の空間を有効に利用することによって、結果的に、外箱のサイズを小さく抑えつつ外槽２０を大きくして洗濯容量を増加させることが可能となる。【選択図】　図９
2004041751.tif 000002
【特許請求の範囲】
【請求項１】
周面が略筒状である胴部を有する外槽を外箱内部に設け、該外槽の内部に、周面が略円筒形状のドラムを水平な又は傾斜した軸を中心に回転自在に配設したドラム式洗濯乾燥機であって、
　前記ドラムの周面に衣類投入用開口を形成し、前記外箱の上面に該衣類投入用開口に通じる開口部を設けるとともに該開口部を開閉する上蓋を設け、
　乾燥運転時に前記外槽内に加熱空気を送り込むためのブロアモータを、該外槽の胴部の外側で、且つ、該ブロアモータの軸が前記ドラムの軸の延伸方向と略垂直になるように配置したことを特徴とするドラム式洗濯乾燥機。
【請求項２】
前記外槽の胴部は少なくとも上部が略円筒形状であって、前記ブロアモータを該外槽の胴部の頂部を外した位置で該胴部に近接して配置したことを特徴とする請求項１に記載のドラム式洗濯乾燥機。
【請求項３】
外箱内に配設した外槽の内部に、周面が略円筒形状のドラムを水平な又は傾斜した軸を中心に回転自在に配設したドラム式洗濯乾燥機において、
　所定の乾燥運転の終了後に、前記ドラムの回転速度を、前記外槽の内面に付着している水を移動させ得る程度の回転速度まで上昇させ、該状態を所定時間継続する運転を実行する運転制御手段を備えたことを特徴とするドラム式洗濯乾燥機。
【請求項４】
衣類投入用開口を前記ドラムの周面に形成し、前記外箱の上面に該衣類投入用開口に通じる開口部を設けるとともに該開口部を開閉する上蓋を設けたことを特徴とする請求項３に記載のドラム式洗濯乾燥機。
【発明の詳細な説明】
【技術分野】
【０００１】
　本発明は、水平軸又は傾斜軸を中心に回転するドラムを有するドラム式洗濯乾燥機に関する。
【背景技術】
【０００２】
　ドラム式洗濯乾燥機は、水平軸又は傾斜軸を中心に円筒籠状のドラムを外槽内部に回転自在に配置した構成を備えており、このドラム内に洗濯物を収容して水を貯留した外槽内で回転させることによって洗濯物の叩き洗いを行い、更に洗いの後には、外槽内に加熱空気を送り込むことによって濡れた洗濯物を乾燥させることができる。
【特許文献１】特開平１１−３４２２８７号公報
【発明の開示】
【発明が解決しようとする課題】
【０００３】
　こうしたドラム式洗濯乾燥機に対する一般消費者の大きな不満の一つは、衣類の出し入れがしにくいことである。すなわち、従来よく知られているドラム式洗濯乾燥機では、略直方体形状の外箱の前面に衣類を投入するための扉体が横開きに設けられており、その扉体を開くと外槽に設けた開口を通して、ドラムの一端面に設けられた衣類投入口が覗くように構成されている。そのため、衣類投入口が低い位置にあり、洗濯乾燥機を専用の置台上に載置した場合であっても、衣類投入のしにくさは完全には解消されない。このような不満に対応するため、従来、市販されているドラム式洗濯乾燥機では、傾斜軸を用いてドラムの衣類投入口をやや斜め上向きにしたものがある。また、衣類投入口をできるだけ大きくすることも試みられている。しかしながら、このような構成によっても、渦巻き式洗濯機の操作性に慣れた者にとってみれば、その使い勝手は必ずしも充分に良好であるとは言えない。
【０００４】
　また、一般の消費者の洗濯方法として、バケツなどに漂白剤などを溶解させた液を入れて洗濯物を付け置き、その液と一緒に又は洗濯物のみ取り出して洗濯機の洗濯槽内に移して洗濯を行うという場合がある。しかしながら、従来のドラム式洗濯乾燥機の構成では、洗濯物のみをバケツから洗濯槽（ドラム）に移す場合に液が床に垂れ易く、また液自体をバケツから外槽に移し替えることは非常に困難である。こうしたこともドラム式洗濯乾燥機の使いにくさの１つである。
【０００５】
　ところで、ドラム式洗濯乾燥機は、その構造上、外箱の高さ方向の寸法は小さくなる反面、幅方向や奥行き方向の寸法が大きくなる傾向にある。特に、マンションなどの集合住宅では規定の大きさの防水パンに洗濯機を載置する必要があるため、こうした外箱のサイズの制限はかなり厳しいものである。しかし、一方で、近年、洗濯容量を大きくすることが要望されているため、外箱のサイズを抑えつつ外槽を大きくするという設計が必要になり、必然的に外箱と外槽との間の空間が狭くなって、該空間を有効に利用するように各種の部品を配置しなければならない。特にドラム式洗濯乾燥機では、洗い運転に必要な各種部品（例えばドラムの駆動部など）のみならず、乾燥のための各種部品（乾燥用の空気流路など）をこの空間に配置しなければならず、これは非常に困難である。
【０００６】
　また、こうしたドラム式洗濯乾燥機では、乾燥運転時には外槽内に加熱空気を送り込み、濡れた洗濯物から吐き出された水分を含む湿った空気を外槽の外側へと取り出し、水冷（又は空冷）式の熱交換器を通して水蒸気を凝縮液化させることにより乾いた空気とし、その空気を再びヒータで加熱して外槽内へと送り込む、という循環空気流路を形成している。こうした乾燥運転時には、外槽の内側は加熱空気によりその温度が高くなっているが、外槽の外側の空気の温度は低いため、外槽自体が一種の熱交換器として作用し、外槽の内側に水蒸気が結露することがある。そして、乾燥運転が終了したときでも外槽の内側に水滴が残り、使用者が洗濯物を取り出そうとする際に振動等によって滴下した水滴が洗濯物に掛かり、乾燥した洗濯物を湿らせてしまうことがあった。
【０００７】
　本発明に係るドラム式洗濯乾燥機はこのような種々の課題を解決するために成されたものであり、その第１の目的とするところは、使い勝手を向上させつつ、外箱と外槽との間の空間を有効に利用して外箱を大型化することなく洗濯容量をできる限り大きくすることができるドラム式洗濯乾燥機を提供することにある。
【０００８】
　また本発明の第２の目的とするところは、乾燥運転時に外槽の内側に結露によって付着した水が乾燥済みの洗濯物を湿らせてしまうことを防止することができるドラム式洗濯乾燥機を提供することにある。
【課題を解決するための手段】
【０００９】
　上記課題を解決するために成された第１発明は、周面が略筒状である胴部を有する外槽を外箱内部に設け、該外槽の内部に、周面が略円筒形状のドラムを水平な又は傾斜した軸を中心に回転自在に配設したドラム式洗濯乾燥機であって、
　前記ドラムの周面に衣類投入用開口を形成し、前記外箱の上面に該衣類投入用開口に通じる開口部を設けるとともに該開口部を開閉する上蓋を設け、
　乾燥運転時に前記外槽内に加熱空気を送り込むためのブロアモータを、前記外槽の胴部の外側で、且つ、該ブロアモータの軸が前記ドラムの軸の延伸方向と略垂直になるように配置したことを特徴としている。
【００１０】
　上記課題を解決するために成された第２発明は、外箱内に配設した外槽の内部に、周面が略円筒形状のドラムを水平な又は傾斜した軸を中心に回転自在に配設したドラム式洗濯乾燥機において、
　所定の乾燥運転の終了後に、前記ドラムの回転速度を、前記外槽の内壁面に付着している水を移動させ得る程度の回転速度まで上昇させ、該状態を所定時間継続する運転を実行する運転制御手段を備えたことを特徴としている。
【発明の効果】
【００１１】
　第１発明の構成によれば、ブロアモータを外槽の端面の外側に配置していないので、その分の空間を確保する必要がなく、その分だけ外槽の胴部の長さを長くすることができる。したがって、ドラムの軸方向に衣類投入用開口を広く確保することができ、ドラムへの洗濯物の出し入れが容易になる。
【００１２】
　更にまた、第１発明に係るドラム式洗濯乾燥機においては、前記外槽の胴部は少なくとも上部が略円筒形状であって、前記ブロアモータを該外槽の胴部の頂部を外した位置で該胴部に近接して配置した構成とすることができる。
【００１３】
　この構成では、一般に外箱と外槽との間の形成される空間にブロアモータを適切に収納することができ、外箱のサイズを抑えつつ外槽の径をできるだけ大きくするのに有利である。
【００１４】
　第２発明に係るドラム式洗濯乾燥機では、乾燥運転時にはドラムは洗濯物を撹拌するべく洗い運転時と同程度の回転速度で回転駆動されるが、乾燥運転が終了すると、次いでドラムの回転速度はより高い回転速度に上昇される。そのドラムの回転によって、外槽の内壁面に付着している水滴を移動させ得る程度の高速の空気流をドラムと外槽との間の空隙に発生させる。そのため、乾燥運転時に結露によって生じた水が外槽の内壁面に付着していた場合でも、上記高速の空気流により吹き飛ばされ又は外槽内壁面に沿った移動が促進され、最終的に外槽内から除去される。そのため、全運転が終了した時点では外槽の内壁面に水が付着していることがなくなり、使用者がドラム内から洗濯物を取り出す際に、外槽の内壁面に付着していた水の滴下によって洗濯物が湿ってしまうことを確実に防止することができる。なお、「外槽の内壁面に付着している水を移動させ得る程度の回転速度」は脱水運転時と同程度の回転速度としてもよいが、振動や騒音の点からはそれよりも低い回転速度とすることが好ましい。例えば、脱水運転時の最大ドラム回転速度が１０００ｒｐｍである場合、６００〜８００ｒｐｍ程度の回転速度であれば充分な効果を得ることができる。
【００１５】
　また、上述したような、洗濯物をドラムから取り出す際の結露水の滴下による洗濯物の湿りは、特に、ドラムの上部に衣類投入用開口がある場合に顕著である。したがって、第２発明に係るドラム式洗濯乾燥機は、特に、衣類投入用開口を前記ドラムの周面に形成し、前記外箱の上面に該衣類投入用開口に通じる開口部を設けるとともに該開口部を開閉する上蓋を設けた構成を有するドラム式洗濯乾燥機に好適である。
【発明を実施するための最良の形態】
【００１６】
　以下、第１〜第４発明の一実施例であるドラム式洗濯乾燥機について図面を参照して説明する。図１は本実施例のドラム式洗濯乾燥機の外観正面図、図２は外観上面図、図３は外観右側面図、図４（ａ）は外箱内の上部空間に設けられた給水装置の構成を示す上面一部破断図、図４（ｂ）は洗剤容器の上面図である。
【００１７】
　図１〜図３に示すように、本ドラム式洗濯乾燥機の外形を成す外箱１は、上面１ａと前面１ｂとの間の角部がやや丸みをもちつつ前下がりになった傾斜部１ｃに形成されている。この傾斜部１ｃから後方にかけて大きな洗濯物投入口３が開口しており、この洗濯物投入口３を開閉するための上蓋２は、上面１ａ後方の略水平なヒンジ部４に軸着されて上方向に二つ折り自在になっている。これにより、使用者が上蓋２の把手部２ａを掴んで上方に引き上げながら後方側へ押すと、図３中に符号２'で示すように、上蓋２は二つ折り状態で洗濯物投入口３の後方に起立する。
【００１８】
　上蓋２の左側には前方に引き出し自在の洗剤容器５が、右側には前後方向に延伸して操作パネル６が設けられている。操作パネル６には、洗濯コースや予約時間等を設定するためなどの各種の操作キーと、これら設定に応じて点灯したり、洗濯行程の進捗状況を報知したり、或いは予約や運転の残り時間などを表示するための各種の表示器が適宜に分散して配置されている。操作パネル６はそのほぼ全体が斜め上方を指向しているため、使用者が本洗濯乾燥機の前方に立った姿勢で斜め下方を見下ろしたとき、操作パネル６面はその視線に対して垂直に近い状態となり、表示が見易く且つ操作キーも押し易い。
【００１９】
　図２及び図４（ａ）に示すように、外箱１の上面１ａであって上蓋２の後方には、外部の給水ホースを接続する給水口７と、風呂水ホースを接続する風呂水ホース給水口８とが設けられている。風呂水ホース給水口８の直下には風呂水ポンプ１０が設置され、給水口７の直下には給水バルブ９が設置されている。図４（ｂ）に示すように、洗剤容器５はその上面全体が開放した箱状体であり、その内部は粉末洗剤収容部５ａ、液体洗剤収容部５ｂ、及び柔軟仕上剤収容部５ｃに区画されている。
【００２０】
　なお、給水バルブ９は四連のバルブであって、洗い行程の給水時の粉末洗剤収容部５ａ及び液体洗剤収容部５ｂを介した給水、最終すすぎ行程の給水時の柔軟仕上剤収容部５ｃを介した給水、後述する遠心脱水時のバランス調整用の給水、及び、後述の乾燥運転時に洗濯物から吐出された水蒸気を含む湿った空気を水冷するための水管への給水、のいずれかを選択的に行うことができるようになっている。
【００２１】
　図５は本ドラム式洗濯乾燥機の内部構造を示す要部の正面縦断面図、図６は乾燥用の空気流路を中心に描出した正面縦断面図、図７は要部の左側面図、図８は同じく要部の右側面図、図９は乾燥用の空気流路を中心に描出した上面断面図、図１０は外槽の胴部部材の縦断面図、図１１は外槽の胴部部材の右側面図、図１２は洗濯物投入口３周辺の要部の側面断面図である。なお、これらの図では煩雑さを避けるため、説明に不要な部分を適宜省略又は簡略化して記載している。
【００２２】
　従来の一般的なドラム式洗濯乾燥機では、周面が略円筒形状のドラムは前後方向に水平又はやや前上がり傾斜を有する軸の周囲に回転自在に配設されているが、本ドラム式洗濯乾燥機では、ドラム２３は左右方向に水平な軸の周囲に回転自在に配設されている。
【００２３】
　すなわち、図５及び図７に示すように、外箱１の内部にあっては、周面が略円筒形状で両端面がほぼ閉塞された外槽２０が外箱１の左右両側上方から吊下げ支持する二本のばね２１と、前後方向に外槽２０の下部を支持するダンパ２２とにより適度に揺動自在に保持されている。外槽２０の内部には、洗濯物を収容するための、周面が略円筒形状で両端面がほぼ閉塞されたドラム２３が、左右方向に延伸する水平軸線Ｃを中心に回転自在に設けられている。このドラム２３には多数の通水穴２３ａが穿孔されている。
【００２４】
　ドラム２３の左端面中央に固着された主軸２４は、外槽２０の左端面に固定されている第１軸受ケース２７に保持された第１軸受２６により支承されている。他方、ドラム２３の右端面中央に固着された補助軸２５は、外槽２０の右端面に固定されている第２軸受ケース２９に保持された第２軸受２８により支承されている。この主軸２４及び補助軸２５により上記水平軸線Ｃが形成されている。主軸２４及び補助軸２５と各軸受ケース２７、２９との間はそれぞれオイルシール３１により水封されており、外槽２０内に水が貯留した状態でも第１、第２軸受２６、２８は被水することがない。
【００２５】
　外槽２０の左端面から側方へと突出した主軸２４の先端には、アウタロータ型の直流ブラシレスモータであるモータ３０のロータ３０ｂが取り付けられ、一方、モータ台を兼ねる第１軸受ケース２７には同じモータ３０のステータ３０ａが固定されている。永久磁石を含むロータ３０ｂは巻線を含むステータ３０ａの外周側を取り囲むように配置されており、これによりモータ３０は水平軸線Ｃの方向に薄型の構造を有している。このようにモータ３０は主軸２４を介してドラム２３をダイレクトに駆動する構成であるため、図示しない制御回路からステータ３０ａに駆動電流が供給されるとそれによってロータ３０ｂが回転し、主軸２４を介してロータ３０ｂと同一の回転速度でドラム２３が回転駆動される。
【００２６】
　ドラム２３を挟んでモータ３０と反対側の、第２軸受ケース２９周囲の外槽２０外側と外箱１（図５、図７には描かれていない）側面との間には、乾燥運転時に外槽２０内部に加熱空気を循環供給するための空気流路が配置されているが、この点については後で詳細に説明する。
【００２７】
　外槽２０の最底部には排水口３６が設けられ、排水口３６は排水バルブ３７を介し、図示しない排水ホースを通して外部の排水溝へと接続されている。而して、排水バルブ３７が開放されると、外槽２０内の水は排水口３６及び排水ホースを経て機外へと排出される。また、外槽２０の底部にはほぼ水平に延在するヒータ３８が配設されており、外槽２０内に貯留された水を加熱することができるようになっている。
【００２８】
　上述したとおりドラム２３は片持支持でなく両端面で支承されているため、遠心脱水時に洗濯物が片寄っていた場合でも振動は比較的生じにくい。しかしながら、振動の抑制を確実に行うために二つのバランス調整手段を用いている。その一つは、ドラム２３にあってモータ３０と同一の左端面の外周側に装着された流体バランサ３２である。この流体バランサ３２は従来の渦巻き式洗濯機に利用されているバランスリングとほぼ同様の作用を有するもので、略中空環状体の内部に封入した流体の移動を適度に規制することによってドラム２３の振動を抑制することができる。
【００２９】
　一方、ドラム２３を挟んで流体バランサ３２と反対側のドラム２３右端面の外周側には、内周側に開口した複数のポケット状の貯水槽３３が放射状に設けられている。この貯水槽３３は、その開口部に向けて水を放出するノズル３４や図示しないものの該ノズル３４に上記給水バルブ９より水を供給するための給水流路などと共に、重量可変型のバランス調整部を構成している。すなわち、ドラム２３が所定の回転位置にあるときに、ノズル３４から水を放出させ該ノズル３４に近接する貯水槽３３の内部に水を入れて遠心力によってその内部に保持させると、保持した水の重量によってそれ自身がドラム２３の偏心荷重となる。そこで、洗濯物の片寄りによる偏心荷重に対し水平軸線Ｃを挟んで対向する位置近傍の貯水槽３３にこうした水による重量を適宜付加することにより、ドラム２３全体の偏心量を小さくすることができる。なお、こうしたバランス調整方法や具体的な構成については、例えば特願２００１−１６１８５５号で本出願人が提案しているものを利用することができる。
【００３０】
　図１２に示すように、上蓋２により閉塞される洗濯物投入口３の直下には、外槽２０の筒状の胴部の周面上部が存在しており、ドラム２３はその外槽２０に内包された状態にある。この外槽２０の胴部周面に形成された外槽開口２００、及びドラム２３の胴部周面に形成されたドラム開口２３０は、いずれも真上よりもやや前方側に指向している。この外槽開口２００を閉鎖するために、水平軸線Ｃとほぼ平行に延伸する軸２０２を中心に後方側に開く一枚の扉体から成る外槽扉２０１が設けられている。一方、ドラム開口２３０を閉鎖するために、それぞれ水平軸線Ｃとほぼ平行に延伸する軸２３４、２３５を中心に前後方向に観音開き構造を有する二枚の扉体２３２、２３３から成るドラム扉２３１が設けられている。したがって、上蓋２を開いた後にドラム２３内に洗濯物を収容するには、外槽扉２０１とドラム扉２３１とを開放する必要があるが、開放操作を簡単化するために、外槽扉２０１に設けられた扉開閉機構２０３により、外槽扉２０１の開閉操作とそのロック／ロック解除操作のみで、同時にドラム扉２３１も開閉できるようになっている。
【００３１】
　ドラム２３は外槽２０内で回転するため、その回転が停止したときにドラム開口２３０の位置が外槽開口２００の位置と一致する必要がある。そこで、外槽２０の左端面にはドラム位置固定装置３５が設けられ、該装置３５から突出する係合凸部とモータ３０のロータ３０ｂに形成されている係合凹部との噛み合いにより停止位置が決まるように構成されている。
【００３２】
　次に、乾燥用の空気流路の構成について図６、図８〜図１１を参照して詳述する。図１０及び図１１に示すように、外槽２０の胴部部材２０ａは左側端面がほぼ閉塞し、右側端面が開放した合成樹脂の一体成型品であって、水平軸線Ｃ方向の略中央下部に外槽２０の内側に連通する開口２０ｂを有し、該開口２０ｂから水平軸線Ｃ方向に延伸して右側端面まで至る筒状の管路２０ｃが一体に形成されている。この開口２０ｂが外槽２０の空気出口になり、管路２０ｃは空気流路の一部となる。
【００３３】
　図６及び図８に示すように、外槽２０の胴部部材２０ａの右側開放端面にはこの端面をほぼ閉塞する端面部材２０ｄが取り付けられるが、上記管路２０ｃに対応する箇所には円形状の開口２０ｅが設けられ、その開口２０ｅを覆うように熱交換器カバー４０が取り付けられる。熱交換器カバー４０の内部は、空気流路の一部として、外槽２０の右端面に沿ってほぼ真上に延伸する後部縦通気路４１となっている。熱交換器カバー４０の上部の水管接続口４２ａには、図示しないものの給水バルブ９に接続された冷却水を流す水管が接続されており、この水管から後部縦通気路４１内に供給される水によって、この内部は実質的に熱交換器４２として機能する。
【００３４】
　なお、後部縦通気路４１の内部は突出部４１ａにより通気路が狭まっており、これにより、水管から供給された水が噴き上がって冷却効果（つまり熱交換効果）を高めるとともに、下方から上昇してくる空気流に乗った糸屑等のゴミが上昇してくるのを防止している。
【００３５】
　図６、図８及び図９に示すように、後部縦通気路４１は外槽２０の後方上部で、水平やや斜め上方に延伸する後部横通気路４３に接続され、後部横通気路４３はブロア４５が内装されたブロア室４４の後方に接続されている。ブロア室４４の前方で、且つ外槽２０の上部後方には、そのモータ軸に沿った軸線Ｂが水平軸線Ｃと略直交し且つ水平に延伸するようにブロアモータ４６が配置され、ブロアモータ４６のモータ軸とブロア４５とは直結されている。ブロア室４４の右側方には、ほぼ水平に延伸し外槽２０の端面外側において前方に屈曲し、更に下方向に屈曲した横通気路４７が接続されている。横通気路４７の末端は第２軸受ケース２９に形成された開口２９ａに被さるように設けられている。この横通気路４７内にはシーズ線から成るヒータ４８が配設されており、実質的にこの部分が空気を加熱する加熱手段となっている。第２軸受ケース２９の内側において外槽２０には複数の開口２０ｆが設けられており、この開口２０ｆが外槽２０内部への熱風供給口になっている。
【００３６】
　ここで、横通気路４７内は高温になり特に高い耐熱性が要求されるため、横通気路４７を形成する部材は金属製である。一方、後部縦通気路４１及び後部横通気路４３に流通する空気の温度は或る程度低下しているから、コストを重視して、後部縦通気路４１及び後部横通気路４３を形成する部材は合成樹脂成型品としている。また、ブロア室４４を形成する部材は、モータ４６側が金属製であり、後部横通気路４３側が合成樹脂成形品という組み合わせになっている。これは、モータ４６に面した部分は耐熱性が必要であると共に重量物であるモータ４６を保持するために高い剛性が必要となるからである。
【００３７】
　上記構成において、ブロアモータ４６によりブロア４５が回転駆動されると、ブロア４５は後方側から吸い込んだ空気を側方に向けて吐き出す。そのため、ブロア室４４から横通気路４７へと向かう空気流が形成され、横通気路４７を通過する間にヒータ４８で加熱された空気は、外槽２０の熱風供給口である開口２０ｆを通して外槽２０内へと送り込まれる。ドラム２３の端面は補助軸２５の周囲に複数の開口２３ｂを有しており、主としてその開口２３ｂからドラム２３内へと加熱空気が流れ込む。ドラム２３内に濡れた洗濯物が収容されている場合、熱加熱空気は洗濯物同士の隙間や洗濯物の繊維の隙間を通過し、その際に洗濯物から水分を奪う。水分を含む空気は主として通水穴２３ａを通ってドラム２３の外側へ出て、ドラム２３と外槽２０との隙間を通って空気出口２０ｂへと向かう。また、このような周方向への空気の流れはドラム２３が回転することによっても促進される。このように高温の空気がドラム２３を周囲から包むように流れるので、ドラム２３は高い温度に維持され、高い乾燥効率が達成できる。
【００３８】
　空気出口２０ｂから外槽２０の外側へ取り出された、水蒸気を多量に含む空気は、管路２０ｃ及び後部縦通気路４１を通って熱交換器４２に達し急激に冷却される。その結果、空気に含まれる水蒸気は凝縮して水となる。したがって、熱交換器４２を通過した空気は乾いた空気となって後部横通気路４３を通ってブロア室４４へと戻り、再びヒータ４８で加熱されるように循環される。熱交換器４２で凝縮した水は熱交換器カバー４０の内壁を流下して、凝縮により生じた水とともに図示しない排水穴から排出される。なお、この排水穴は、外槽の胴部部材２０ａに端面部材２０ｄを装着したときにその隙間に形成されるようになっている。
【００３９】
　上述したように、乾燥のための空気流路は主として外槽２０の右側端面の外側に配置されている。すなわち、ドラム２３を挟んで、外槽２０の左側端面にはモータ３０が、右側端面には空気流路が設けられているため、外槽２０の左右の重量バランスが良好である。そのため、ばね２１による吊下げも容易であり、遠心脱水時の振動も軽減される。また、第２軸受ケース２９の周囲に生じる空間を適切に利用して空気流路を配設しているため、外槽２０と外箱１との間の空間を有効に活用することができる。また、ブロア４５及びブロアモータ４６を外槽２０の胴部の後方に、その軸線Ｂが水平軸線Ｃと略垂直で且つ水平になるように配置しているため、外槽２０の胴部と外箱１との隙間の空間も有効に利用することができる。このように外槽２０と外箱１との間の空間を有効に利用することによって、結果的に、外箱１のサイズを小さく抑えつつ外槽２０を大きくして洗濯容量を増加させることが可能となる。
【００４０】
　更に、図１及び図５からわかるように、本ドラム式洗濯乾燥機では、ちょうど第１軸受ケース２７及びモータ３０の上方に洗剤容器５がくるような配置になっている。そのため、モータ３０の厚みに相当する外箱１内のスペースを有効に活用することができる。一方、外槽２０の右方においても空気流路の一部である横通気路４７のちょうど上方に操作パネル６がくるような配置としているため、この部分に相当する外箱１内のスペースも有効に活用することができる。
【００４１】
　また、乾燥運転時には、ヒータ４８を内装した横通気路４７の壁面は特に熱くなる。そこで、この壁面から放出される熱がその直上の操作パネル６に悪影響を与えないようにするため、図４（ａ）に示すように、給水バルブ９から熱交換器４２に至るまでの水管４２ｂを操作パネル６の下側に通過させる構成としている。乾燥運転時にはこの水管４２ｂ中を冷たい冷却水が流通するから、この水管４２ｂは断熱手段として機能し、下方の横通気路４７の壁面からの熱を遮断して操作パネル６が異常に加熱されることを防止することができる。
【００４２】
　次いで、本ドラム式洗濯乾燥機の電気系の構成と特徴的な動作について説明する。図１３は本ドラム式洗濯乾燥機の電気系ブロック構成図である。制御部５０はＣＰＵ、ＲＯＭ、ＲＡＭ、タイマなどを含むマイクロコンピュータを中心に構成されており、ＲＯＭに格納されている制御プログラムに基づいて、後述するような洗濯に関する各行程の運転動作等の各種の制御を実行する。制御部５０には、使用者が各種設定や指示を与えるための操作部６１、使用者が設定内容や運転状況をモニタするための表示部６２、外槽２０内に貯留された水の水位を検知する水位センサ５２、水温又は空気の温度を検知する温度センサ５３、上蓋２の開閉を検知するドアスイッチ５４などが接続されている。また、制御部５０には負荷駆動部５１が接続されており、この負荷駆動部５１を介してドラムモータ３０、ブロアモータ４６、温水用ヒータ３８、乾燥用ヒータ４８、給水バルブ９、排水バルブ３７等の動作を制御する。
【００４３】
　次に図１４のフローチャートを参照しつつ本洗濯乾燥機の動作の一例を説明する。ここで説明する動作は標準的な自動運転動作であって、洗濯の開始から終了までを連続的に行わせる場合である。
【００４４】
　使用者は上蓋２を開け、外槽扉２０１とドラム扉２３１を開けてドラム２３内に洗濯物を投入する。また、洗剤容器５に洗剤や柔軟仕上剤などを収容し、操作パネル６上で所定の操作を行って洗濯運転を指示する。制御部５０はこの指示に応じて、洗い行程を開始する（ステップＳ１）。洗い行程では、まず風呂水又は外部の給水栓から供給された水が洗剤容器５を通って外槽２０内に注がれる。このとき排水バルブ３７は閉鎖しており、洗剤容器５内に収容されている洗剤が溶け出した洗浄水が外槽２０内に貯留する。こうして外槽２０内に貯留した水は、通水穴２３ａなどを通してドラム２３内へ流入し、洗濯物は水に浸る。洗浄運転が開始されると、モータ３０のステータ３０ａに駆動電流が供給され、これによりドラム２３は所定方向に所定速度で回転する。それによって洗濯物はドラム２３内で叩き洗いされる（ステップＳ１Ａ）。
【００４５】
　洗浄行程が終了すると、同様にしてすすぎ行程を実行し（ステップＳ１Ｂ）、その後には脱水行程を実行する（ステップＳ１Ｃ）。脱水行程では、モータ３０の回転速度は例えば１０００ｒｐｍ程度まで上昇され、ドラム２３が同速度で回転することによって遠心脱水が達成される。このような遠心脱水に際しては、流体バランサ３２が機能するとともに、必要に応じて貯水槽３３を含むバランス調整部も機能し、ドラム２３や外槽２０、更には外箱１が大きく振動することを防止する。なお、洗浄行程や最終すすぎ以外のすすぎ行程の後に中間脱水が行われるようにしてもよい。
【００４６】
　洗い行程が終了すると、次に乾燥行程に移行する（ステップＳ２）。乾燥行程では、まずブロアモータ４６がオンされ、それから一定時間、例えば約５秒が経過した後に乾燥用ヒータ４８がオンされる。制御部５０はこの一定時間の間にブロアモータ４６が回転したことを検出しており、確実にブロアモータ４６が作動して上記空気流路に空気流が生起してから加熱を開始することができる。乾燥用ヒータ４８がオンされると、上述した通り、ドラム２３内にはヒータ４８で加熱された加熱空気が送給される。また、ドラム２３は洗浄運転時と同程度のゆっくりした回転速度で回転され、これにより洗濯物は適度に撹拌され、加熱空気が満遍なく洗濯物に晒されるようにしている。濡れた洗濯物から蒸発した水分を含む湿った空気は熱交換器４２で冷却され、水蒸気が凝縮液化して乾いた空気となった後に再びヒータ４８で加熱される。
【００４７】
　温度センサ５３は、外槽３からの空気出口である開口２０ｂ付近、及び、管路２０ｃと熱交換器カバー４０との継ぎ目付近、の２箇所にそれぞれ設けられている。乾燥運転時にはその継ぎ目付近には排水穴の手前で滞った水が溜まり易く、後者の温度センサは実際には殆ど水没した状態にあり、その水の温度を検出している。制御部５０はこの２つの温度センサによる検出温度の差に基づいて洗濯物の乾燥度合を判断し、温度差が所定値を越えると乾燥運転を終了する。
【００４８】
　乾燥運転の後には、次いで結露水飛散運転を実行する（ステップＳ３）。すなわち、上記乾燥運転時には外槽２０とドラム２３との空隙には水蒸気を多量に含む高温の空気が流通する。外槽２０の内壁面はこの空気によって加熱された状態となっているが、外槽２０の外側の温度は室温又はそれに近い低い温度であるため、外槽２０は外側から冷却された状態となり、外槽２０自体が熱交換器となって外槽２０の内壁面には結露した水が付着する。外槽扉２０１の下面にこうした水滴が付着していると、運転終了後に使用者が扉を開けたときに振動などによって水滴がドラム２３内に滴下し、せっかく乾燥した洗濯物を湿らせてしまう恐れがある。結露水飛散運転はこれを防止するために行うもので、ドラム２３を６００〜８００ｒｐｍ程度の高速回転速度で回転させる。
【００４９】
　このようにドラム２３を高速で回転させると、ドラム２３と外槽２０との空隙には非常に高速の空気流が生起される。そのため、外槽２０の内壁面に付着している水滴はこの空気流に巻き込まれて微細水滴となって運び去られるか、或いは空気流によって水滴が外槽３内壁面を伝って移動しつつ、集まって大きな水滴を形成して流出する。こうした結露水飛散運転を所定時間（例えば１〜３分程度）継続し、その後、クールダウン運転を行う（ステップＳ４）。クールダウン運転は洗濯物の温度を低下させるためであり、ブロアモータ４６を駆動し、ヒータ４８による加熱を行わずに熱交換器４２で冷却水によって冷却した空気をドラム２３内に循環させる。
【００５０】
　所定時間のクールダウン運転が終了したならば、ブロアモータ４６、ドラムモータ３０をオフし、全ての運転を終了する。運転終了時には、表示やブザーの鳴動などによって運転終了を使用者に報知する。使用者は、上蓋２を開け、外槽２０とドラム２３の扉を開けてドラム２３内に収容されている洗濯物を取り出す。
【００５１】
　このようにして、このドラム式洗濯乾燥機では、乾燥運転終了時に外槽扉２０１やそれ以外の外槽２０の内壁面に結露による水滴が付着していた場合であっても、使用者が洗濯物をドラム２３から取り出す際には上記水滴が完全に消散しているため、乾燥した洗濯物を水滴の滴下によって湿らせてしまうことがない。
【００５２】
　なお、上記実施例は本発明の一例にすぎず、本発明の趣旨の範囲で適宜変更や修正を行えることは明らかである。
【図面の簡単な説明】
【００５３】
【図１】本発明の一実施例によるドラム式洗濯乾燥機の外観正面図。
【図２】本実施例のドラム式洗濯乾燥機の外観上面図。
【図３】本実施例のドラム式洗濯乾燥機の外観左側面図。
【図４】本実施例のドラム式洗濯乾燥機における給水路の構成を示す上面図及び洗剤容器の上面図。
【図５】本実施例のドラム式洗濯乾燥機の内部構造を示す要部の正面縦断面図。
【図６】本実施例のドラム式洗濯乾燥機における乾燥用の空気流路を中心に描出した正面縦断面図。
【図７】本実施例のドラム式洗濯乾燥機の要部の左側面図。
【図８】本実施例のドラム式洗濯乾燥機の要部の右側面図。
【図９】本実施例のドラム式洗濯乾燥機における乾燥用の空気流路を中心に描出した上面断面図。
【図１０】本実施例のドラム式洗濯乾燥機における外槽の胴部部材の縦断面図。
【図１１】図１０に示した外槽の胴部部材の右側面図。
【図１２】本実施例のドラム式洗濯乾燥機における洗濯物投入口周辺の要部の側面断面図。
【図１３】本実施例のドラム式洗濯乾燥機における電気系ブロック構成図。
【図１４】本実施例のドラム式洗濯乾燥機の動作の一例を示すフローチャート。
【符号の説明】
【００５４】
１…外箱
２…上蓋
３…洗濯物投入口
５…洗剤容器
６…操作パネル
２０…外槽
２００…外槽開口
２０１…外槽扉
２０ａ…胴部部材
２０ｂ…開口（空気出口）
２０ｃ…管路
２０ｄ…端面部材
２０ｅ…開口
２０ｆ…開口（熱風供給口）
２３…ドラム
２３０…ドラム開口
２３１…ドラム扉
２３ａ…通水穴
２３ｂ…衣類投入用開口
２４…主軸
２５…補助軸
２６…第１軸受
２７…第１軸受ケース
２８…第２軸受
２９…第２軸受ケース
２９ａ…開口
３０…ドラムモータ
４０…熱交換器カバー
４１…後部縦通気路
４１ａ…突出部
４２…熱交換器
４２ａ…水管接続口
４２ｂ…水管
４３…後部横通気路
４４…ブロア室
４５…ブロア
４６…ブロアモータ
４７…横通気路
４８…乾燥用ヒータ
５０…制御部
５１…負荷駆動部
【図１】
2004041751.tif 000003
【図２】
2004041751.tif 000004
【図３】
2004041751.tif 000005
【図４】
2004041751.tif 000006
【図５】
2004041751.tif 000007
【図６】
2004041751.tif 000008
【図７】
2004041751.tif 000009
【図８】
2004041751.tif 000010
【図９】
2004041751.tif 000011
【図１０】
2004041751.tif 000012
【図１１】
2004041751.tif 000013
【図１２】
2004041751.tif 000014
【図１３】
2004041751.tif 000015
【図１４】
2004041751.tif 000016